(57)【要約】【課題】バックアップデータ送受信に際して、データ送信量を削減してネットワーク負荷を大幅に抑制するシステムを提供すること。【解決手段】リンクを介して連結された複数の通信装置を有するネットワークとその管理装置とを備えたシステムであって、各通信装置を、ネットワーク管理装置１２０からのアクセスに対応可能な設定情報を格納した設定情報用データベース３７と、隣接する通信装置からバックアップ用データが送られてきた場合に予め保持しているバックアップ用データとの差分を検出し特定する設定情報差分処理部３５と、この特定された差分データを前記設定情報用データベースに格納処理する設定情報管理部３６とを備えた構成とした。【選択図】図１
2014175841.tif 000002
【特許請求の範囲】
【請求項１】
リンクを介して連結された複数の通信装置を有するネットワーク回線とこのネットワーク回線の前記各通信装置の動作を管理するネットワーク管理装置とを備えたネットワーク通信システムであって、
前記各通信装置は、
前記ネットワーク管理装置からのアクセスに対応可能な設定情報を格納した設定情報用データベースと、隣接する通信装置からバックアップ用データが送られてきた場合に予め保持しているバックアップ用データとの差分を検出し特定する設定情報差分処理部と、この特定された差分データを前記設定情報用データベースに格納処理する設定情報管理部とを備えていることを特徴とするネットワーク通信システム。
【請求項２】
請求項１に記載のネットワーク通信システムにおいて、
前記各通信装置は、
前記リンクを介して隣接する他の通信装置にかかる隣接情報を格納した隣接情報データベースと、この隣接情報データベースに対する隣接情報の読出及び格納を管理する隣接情報管理部と、前記ネットワーク管理装置および隣接する他の通信装置との間の相互通信を実行する信号送受信部とを備えていることを特徴としたネットワーク通信システム。
【請求項３】
請求項２に記載のネットワーク通信システムにおいて、
前記信号送受信部は、隣接する通信装置の識別子やＩＰアドレスを含む隣接装置の情報を送受信する隣接情報送受信部と、隣接する通信装置との間で設定情報のバックアップ用データを送信し又は受信する機能を備えた設定情報送受信部とを含む構成であることを特徴としたネットワーク通信システム。
【請求項４】
請求項１に記載のネットワーク通信システムにおいて、
前記各通信装置は、自装置の設定情報にかかるバックアップデータを収納し保持可能な隣接装置として、バックアップ数の少ない装置を選択するバックアップ先選択機能を備えていることを特徴としたネットワーク通信システム。
【請求項５】
請求項４に記載のネットワーク通信システムにおいて、
前記バックアップ先選択機能は、前記バックアップ先隣接装置として同一エリア内の隣接装置を優先的に選択する機能であることを特徴としたネットワーク通信システム。
【請求項６】
請求項１乃至５の何れか一つに記載のネットワーク通信システムにおいて、
前記各通信装置は、隣接装置の設定情報をバックアップした場合には当該隣接装置にかかる識別ＩＤと最終更新日時とを当該バックアップデータに対応させて前記設定情報データベースに格納する機能を備えていることを特徴としたネットワーク通信システム。
【請求項７】
請求項１乃至５の何れか一つに記載のネットワーク通信システムにおいて、
前記各通信装置は、
隣接装置から識別ＩＤと共に値なしの属性データが送信されて来た場合には当該隣接装置の設定情報が失われたことを感知する他機設定情報消失感知機能と、
この消失にかかる隣接装置の差分データと自装置の設定情報とを当該隣接装置に送信する復元用データとして送信する復元用データ送信処理機能とを備えていることを特徴としたネットワーク通信システム。
【請求項８】
リンクを介して連結され他の複数の通信装置と共にネットワーク回線を構成し且つ当該ネットワーク回線を介して予め装備されたネットワーク管理装置に管理されて動作する装置本体を備えた通信装置であって、
前記装置本体が、前記ネットワーク管理装置からのアクセスに対応可能な設定情報を格納した設定情報用データベースと、隣接する通信装置からバックアップ用データが送られてきた場合に予め保持しているバックアップ用データとの差分を検出し特定する設定情報差分処理部と、この特定された差分データを前記設定情報用データベースに格納処理する設定情報管理部とを備えていることを特徴とした通信装置。
【請求項９】
リンクを介して連結された複数の通信装置を有するネットワーク回線と、このネットワーク回線の前記各通信装置の動作を管理するネットワーク管理装置とを備えたネットワーク通信システムにあって、
前記各通信装置の内の一の通信装置は自装置の設定情報のバックアップ実行先の選定に際し、自装置の隣接装置データベースから隣接する通信装置を抽出し、
この抽出した各隣接装置のＩＤ（識別子）について自装置とエリアが同一か否かを判定すると共に同一エリアの隣接する通信装置を優先して選択し、
この選択した隣接装置が備えているバックアップ数が予め設定した最小値よりも小さいか否かを判定すると共に当該バックアップ数が予め設定した最小値より小さい場合に当該バックアップ数最小の隣接装置を差分バックアップ先として特定することを特徴としたネットワーク通信システム用データバックアップ方法。
【請求項１０】
リンクを介して連結された複数の通信装置を有するネットワーク回線と、このネットワーク回線の前記各通信装置の動作を管理するネットワーク管理装置とを備えたネットワーク通信システムにあって、
前記各通信装置の内の一の通信装置は自装置の設定情報のバックアップ実行先の選定に際し、自装置の隣接装置データベースから隣接する通信装置を抽出する隣接装置抽出処理機能、
この抽出した各隣接装置のＩＤ（識別子）について自装置とエリアが同一か否かを判定すると共に同一エリアの隣接する通信装置を優先して選択するバックアップ先選択処理機能、
およびこの選択した隣接装置が備えているバックアップ数が予め設定した最小値よりも小さいか否かを判定すると共に当該バックアップ数が予め設定した最小値より小さい場合に当該バックアップ数最小の隣接装置を差分バックアップ先として特定するバックアップ先特定処理機能を備え、
これらの各処理機能を前記一の通信装置が備えているコンピュータに実現させることを特徴としたデータバックアップ処理プログラム。
【発明の詳細な説明】
【技術分野】
【０００１】
本発明は、ネットワーク通信システムに係り、特に、ネットワーク上における設定情報にバックアップデータの送信量を少なくしてネットワーク負荷の低減を図ったネットワーク通信システム、通信装置、データバックアップ方法、及びそのプログラムに関する。
【背景技術】
【０００２】
ネットワークを構成する通信装置の設定情報には、装置の物理的構成に依存する設定とネットワーク上のサービス提供・利用のための論理的な設定とが存在する。
前者の物理的構成に依存する設定は、各通信装置上における固有的な設定となる。一方、後者のネットワーク上のサービス提供・利用のための論理的な設定は、同一の管理エリアに所属する装置ではまったく同じ設定を実施することが多い。
【０００３】
上記論理的な設定の例としては、ＮＭＳ（Network Management System)サーバのＩＰアドレス、ＮＴＰサーバ（同期設定サーバ）のＩＰアドレス、ＲＡＤＩＵＳサーバ（認証サーバ）のＩＰアドレスやユーザアカウント情報、通信プロトコルのタイマー情報、利用するＶＬＡＮの仮想ＬＡＮ／ＩＤなどの設定が、これに該当する。
【０００４】
このような状況にもかかわらず、ネットワーク上の通信装置における設定情報のバックアップは、ＮＭＳ（ネットワーク管理システム）で各通信装置の設定情報を定期的に収集するなどの一括管理が実施されていることが多い。
【０００５】
そして、通信装置の工場初期化設定（設定の初期化）や故障などで装置の設定情報が失われた場合は、通常、バックアップ情報から通信装置における設定情報の復元が必要になる。具体的には、ＮＭＳからその装置の設定情報のバックアップを転送し、設定情報を適用して復元する。
【０００６】
又、これらネットワーク上の複数の通信装置について、その動作制御の一括管理する関連技術として、下記の特許文献１，２が知られている。
【先行技術文献】
【特許文献】
【０００７】
【特許文献１】特開２０１１−１３５１３３号公報
【特許文献２】特開２０１０−２２４６３８号公報
【発明の概要】
【発明が解決しようとする課題】
【０００８】
前述したように、データバックアップに関する関連技術にあっては、通信装置で構成する通信ネットワークにおいて、装置の設定情報はＮＭＳ（Network Management System)等の装置管理ソフトウェアでＮＭＳが定期的に収集するなどして、バックアップを保持する。これは装置の故障やオペレーションミス、問題対応のための工場初期化設定実施等による設定情報の消失に対応するためである。
【０００９】
一方、多数の通信装置からなるネットワークでは、全ての通信装置が定期的に設定情報をバックアップ情報としてＮＭＳに転送する構成であることから、データ転送量が必然的に大きくなり、ネットワークの負荷が増大するという課題があった。
【００１０】
又、問題対応での現地作業において、該当する通信装置に対してＮＭＳへ接続可能となるように最低限の設定を予め投入しておく必要があり、この設定を間違えるとＮＭＳと接続ができず再度現地へ出向いて設定を再投入するなど、手間がかかるという問題も存在していた。
【００１１】
更に、上記関連技術である前述した特許文献１，２は、いずれもバックアップ情報とは異なった転送情報を対象としており、その一括管理の円滑化のみでは、上記バックアップ情報の転送に起因したネットワーク負荷には、対処し得ないものとなっている。
【００１２】
[発明の目的]
本発明は、上記関連技術の有する不都合を改善し、特に、各通信機器の設定情報にかかるバックアップを一括管理の場合に比較してネットワーク上で送信されるデータ量を有効に削減しネットワーク負荷の大幅な低減を図ったネットワーク通信システム、通信装置、データバックアップ方法、及びそのプログラムを提供することを、その目的とする。
【課題を解決するための手段】
【００１３】
上記目的を達成するため、本発明にかかるネットワーク通信システムは、リンクを介して連結された複数の通信装置を有するネットワーク回線とこのネットワーク回線の前記各通信装置の動作を管理するネットワーク管理装置とを備えたネットワーク通信システムであって、
前記各通信装置が、前記ネットワーク管理装置からのアクセスに対応可能な設定情報を格納した設定情報データベースと、隣接する通信装置からバックアップ用データが送られてきた場合に予め保持しているバックアップ用データとの差分を検出し特定する設定情報差分処理部と、この特定された差分データを前記設定情報データベースに格納する設定情報管理部とを備える、という構成を採っている。
【００１４】
上記目的を達成するため、本発明にかかるネットワーク通信システム用データバックアップ方法は、リンクを介して連結された複数の通信装置を有するネットワーク回線と、このネットワーク回線の前記各通信装置の動作を管理するネットワーク管理装置とを備えたネットワーク通信システムにあって、
前記各通信装置の内の一の通信装置は自装置の設定情報のバックアップ実行先の選定に際し、自装置の隣接装置データベースから隣接する通信装置を抽出し（第１の工程／隣接装置抽出処理機能）、
この抽出した各隣接装置のＩＤ（識別子）について自装置とエリアが同一か否かを判定すると共に同一エリアの隣接する通信装置を優先して選択し（第２の工程／バックアップ先選択処理機能）、
この選択した隣接装置が備えているバックアップ数が予め設定した最小値よりも小さいか否かを判定すると共に当該バックアップ数が予め設定した最小値より小さい場合に当該バックアップ数最小の隣接装置を差分バックアップ先として特定する（第３の工程／バックアップ先特定処理機能）、という構成を採っている。
【００１５】
上記目的を達成するため、本発明にかかるデータバックアップ処理プログラムは、リンクを介して連結された複数の通信装置を有するネットワーク回線と、このネットワーク回線の前記各通信装置の動作を管理するネットワーク管理機器とを備えたネットワーク通信システムにあって、
前記各通信装置の内の一の通信装置は自装置の設定情報のバックアップ実行先の選定に際し自装置の隣接装置データベースから隣接する通信装置を抽出する隣接装置抽出処理機能、この抽出した各隣接装置のＩＤ（識別子）について自装置とエリアが同一か否かを判定すると共に同一エリアの隣接する通信装置を優先して選択するバックアップ先選択処理機能、およびこの選択した隣接装置が備えているバックアップ数が予め設定した最小値よりも小さいか否かを判定すると共に当該バックアップ数が予め設定した最小値より小さい場合に当該バックアップ数最小の隣接装置を差分バックアップ先として特定するバックアップ先特定処理機能を備え、
これらの各処理機能を前記一の通信装置が備えているコンピュータに実現させるようにする、という構成を採っている。
【発明の効果】
【００１６】
本発明は上述したように構成したので、これによると、装置の設定情報バックアップに必要なデータ領域を削減することができ、従来の一括管理の場合に比較してネットワーク上で送信されるデータ量を有効に削減しネットワーク負荷を大幅に低減し得るネットワーク通信システム、通信装置、データバックアップ方法、及びそのプログラムを提供することができる。
【図面の簡単な説明】
【００１７】
【図１】本発明にかかるネットワーク通信システムの一実施形態を示す全体説明図である。
【図２】図１に開示した実施形態の要部をなす通信装置におけるデータバックアップ処理の実行内容を示すブロック図である。
【図３】図２に開示した一方の通信装置（装置＃Ａ５）の動作状態を示す説明図である。
【図４】図３に開示した一方の通信装置（装置＃Ａ５）が備えている隣接情報ＤＢに格納されている隣接情報の一例を示す図表である。
【図５】図３に開示した一方の通信装置（装置＃Ａ５）が備えている設定情報ＤＢに格納されている設定情報の一例を示す図表である。
【図６】図１乃至図３に開示した一方の通信装置（装置＃Ａ５）の動作の内、検出した隣接装置からバックアップ先の装置の選択手順を示すフローチャートである。
【図７】図３に開示した通信装置（装置＃Ａ５）から送信されたバックアップデータの送信先におけるバックアップ処理を示すシーケンス図である。
【図８】図３に開示した通信装置（装置＃Ａ５）の隣接装置における設定差分の保存処理動作を示すフローチャートである。
【図９】図８のフローチャートで設定差分保存処理が実施された後の隣接機器（装置＃Ａ４における設定情報ＤＢの内容を示す図表である。
【図１０】図３に開示した通信装置（装置＃Ａ５）の設定情報が変更された場合の隣接機器（装置＃Ａ４）におけるバックアップデータの更新処理の手順を示すシーケンス図である。
【図１１】図３に開示した隣接装置（装置＃Ａ４）における設定差分のチェック処理動作を示すフローチャートである。
【図１２】図１０に開示したシーケンス処理後の隣接装置（装置＃Ａ４）が備えている設定情報ＤＢの情報内容を示す図表である。
【図１３】図３に開示した隣接装置（装置＃Ａ４）の設定情報が変更された場合の当該隣接装置（装置＃Ａ４）における通信装置（装置＃Ａ５）のバックアップデータの更新処理の手順を示すシーケンス図である。
【図１４】図１３に開示したシーケンス処理後の隣接装置（装置＃Ａ４）が備えている設定情報ＤＢの情報内容を示す図表である。
【図１５】図３に開示した一方の通信装置（装置＃Ａ５）の初期化設定とその後の隣接装置（装置＃Ａ４）によるバックアップデータの復元送信の手順を示すシーケンス図である。
【図１６】図１５に開示したシーケンスが実行されてバックアップデータが復元された場合の前記通信装置（装置＃Ａ５）が備えている設定情報ＤＢの情報内容を示す図表である。
【発明を実施するための形態】
【００１８】
以下、本発明にかかるネットワーク通信システムの一実施形態を、図１乃至図１６を参照して説明する。
（全体的な説明）
図１に示すように、本実施形態にかかるネットワーク通信システムは、リンクＲ，Ｒａ又はＲｂを介して連結された複数の通信装置１１乃至１５，２１乃至２５を有するネットワーク回線１００，２００と、このネットワーク回線の前記各通信装置の動作を管理するネットワーク管理装置１２０，２２０とを備えている。
【００１９】
そして、この各通信装置１１乃至１５，２１乃至２５は、前記ネットワーク管理装置１２０，２２０からのアクセスに対応可能な設定情報を格納した設定情報用データベース３７，４７と、隣接する通信装置からバックアップ用データが送られてきた場合に予め保持しているバックアップ用データとの差分を検出し前記設定情報用データベース３７，４７に格納する設定情報管理部３６，４６とを備えている。
【００２０】
即ち、本実施形態におけるネットワーク通信システムにあって、複数の各通信装置１１乃至１５，２１乃至２５は、自装置の設定情報を当該通信装置の隣接装置にバックアップする。バックアップデータは、自装置の設定情報と隣接装置の設定情報との差分のみを、当該隣接装置に保存することで、バックアップのデータ容量およびデータ転送量を削減する。
【００２１】
また、工場初期化設定や装置故障等で特定の通信装置１１乃至１５，２１乃至２５の内の一の通信装置が備えている設定情報が失われても、再び当該一の通信装置をネットワークへ接続することで、バックアップデータを備えた隣接装置から失われた設定情報を取得し、発信元である通信装置の設定情報を迅速に復元することができる。
【００２２】
（具体的内容）
まず、図１において、本実施形態では、一方と他方の二つの通信エリア１００，２００を備えている。この内、一方の通信エリア（エリアＡ）１００には、本実施形態では第１乃至第５の５台の通信装置１１，……，１５の通信装置が設置されている。同様に、他方の通信エリア（エリアＢ）２００には、第１乃至第５の５台の通信装置２１，……，２５が設置されている。
【００２３】
これらの各通信装置１１〜１５，２１〜２５は、本実施形態にあっては、ネットワーク管理装置（ＮＭＳ）１２０，２２０によって監視・制御され、同期設定サーバ（ＮＴＰサーバ）１３０，２３０によって作動タイミングが時刻同期され、認証サーバ（ＲＡＤＩＵＳサーバ）１４０，２４０によって装置へのログインアカウントの認証が実施されるようになっている。
【００２４】
（各通信装置について）
前述した各通信装置１１〜１５，２１〜２５は、それぞれが、同一の技術的構成内容を備えている。この内、一方の通信装置１１〜１５は、リンクＲａを介して図１にように接続されると共に、接続された通信装置相互間で情報のやり取りが行われるようになっている。同様に、他方の通信装置２１〜２５は、リンクＲｂを介して図１にように接続されると共に、接続された隣接する通信装置相互間で情報のやり取りが行われるようになっている。
又、上記各エリアＡ，Ｂは、本実施形態ではリンクＲを介して、通信装置１５と通信装置２１とが相互に隣接装置として直接通信可能に連結されている。
ここで、図２に示すように、二つの通信エリア１００，２００の各通信装置１１〜１５，２１〜２５の各構成内容を、各エリア１００，２００相互間を連結する通信装置１５と通信装置２１について説明する。
【００２５】
本実施形態では、各通信装置１５，２１は、それぞれが本来の情報通信機能を有するほか、更に、以下に示す構成を備えている。
まず、一方のエリア１００の通信装置１５と他方のエリア２００の通信装置２１とは、図２に示すように、リンクＲを介して信号送受信部３１，４１が相互に連結されている。この場合、一方の信号送受信部３１は、隣接情報送受信部３１Ａと設定情報送受信部３１Ｂとにより構成されている。同様に、他方の信号送受信部４１は、隣接情報送受信部４１Ａと設定情報送受信部４１Ｂとにより構成されている。
そして、隣接情報送受信部３１Ａ，４１Ａの相互間で、隣接情報の送受信が実行され、設定情報送受信部３１Ｂ，４１Ｂの相互間で、設定情報の送受信が実行されるように構成されている。
【００２６】
尚、これらの情報のやり取りには、LLDP(Link Layer Discovery Protocol) 、SNMP(Simple Network Management Protocol)、FTP(File Transfer Protocol) 等のＩＰネットワークで一般的に利用されるプロトコルが利用される。この内、隣接情報を交換するLLDPについては本実施形態では一部プロトコルで交換する情報を拡張している。
【００２７】
更に、一方の通信装置１５は、図２に示すように、隣接情報管理部３２と隣接データベース（隣接ＤＢ）３３とを装備し、前述した隣接情報送受信部３１からの情報を元に隣接装置の情報を上記隣接ＤＢ３３に保存する役割を備えている。他方の通信装置２１も同様に、隣接情報管理部４２と隣接ＤＢ４３とを装備し、前述した隣接情報送受信部３１からの情報を元に隣接装置の情報を上記隣接ＤＢ４３に保存する役割を備えている。
【００２８】
また、一方の通信装置１５は、図２に示すように、設定情報差分処理部３５と設定情報管理部３６と設定情報ＤＢ３７とを備えている。この内、設定情報差分処理部３５は、設定情報管理部３６経由で取得し設定情報ＤＢ３７に格納されている設定情報および隣接情報ＤＢ３３に格納されている隣接情報と、隣接情報送受信部３１から取得した隣接装置の設定情報とから、自装置と対象隣接装置の設定差分を比較判定し、差分のある部分のみを隣接装置の設定バックアップとして保存する機能を備えている。
【００２９】
同様に、他方の通信装置２１も、図２に示すように、設定情報差分処理部４５と設定情報管理部４６と設定情報ＤＢ４７とを備えている。この内、設定情報差分処理部４５は、設定情報管理部４６経由で取得し設定情報ＤＢ４７に格納されている設定情報および隣接情報ＤＢ４３に格納されている隣接情報と、隣接情報送受信部４１から取得した隣接装置の設定情報とから、自装置と対象隣接装置の設定差分を比較判定し、差分のある部分のみを隣接装置の設定バックアップとして保存する機能を備えている。
【００３０】
ここで、隣接情報ＤＢ３３，４３の例を図４に、設定情報ＤＢ３７，４７の例を図５に示す。隣接情報ＤＢと設定情報ＤＢにそれぞれ格納された情報については、後述の動作例で、具体的に説明する。
【００３１】
又、本実施形態では、設定情報ＤＢ３７，４７は、各装置１５，２１が同一の設定項目を持つものとする。更に、図２において、隣接情報送受信部３１, ４１と隣接情報管理部３２, ４２は、通信装置で一般的に実現されている機能のための要素である。
これに対して、隣接情報ＤＢ３３, ４３、設定情報送受信部３４, ４４、設定情報差分処理部３５, ４５、設定情報管理部３６, ４６、および設定情報ＤＢ３７, ４７が本実施形態特有の新規な構成要素である。
【００３２】
他の通信装置１１〜１４，２２〜２５についても、それぞれ上記通信装置１５，２１と同一に構成され同等の機能を備えたものとなっている。
【００３３】
（上記実施形態の動作）
次に、上記各通信装置１１〜１５，２１〜２５の動作を図３に基づいて説明する。この図３では、装置＃Ａ５の通信装置１５について、その動作を説明する。他の通信装置１１〜１４，２１〜２５についても同様である。
【００３４】
この図３において、通信装置１５は、設置および設定が完了して運用状態に入るところを示す。このとき、通信装置１５は、LLDPにより、リンクＲａ，Ｒによって接続された隣接装置（通信装置１３, １４，２１) との間で、装置の情報を交換する。本実施形態では、装置間で交換する情報には設定情報バックアップ用のデータも含まれる。
【００３５】
通信装置１５の隣接情報ＤＢ３３の内容を図４に例示する。
この隣接情報ＤＢ３３では、装置の各ポート＃１，＃２，＃３に接続された隣接装置の識別子となるremote ChassisＩＤ（Ethernet（登録商標）では装置の代表ＭＡＣアドレスが利用される）や、隣接装置の名称を示す「remote System Description 」、隣接装置のＩＰアドレスを示す「remote Management Address 」などが登録されている。
【００３６】
また、隣接情報ＤＢ３３，４３には、隣接装置から受信した設定情報バックアップ用データも保持される。図４において、「識別ＩＤ」には設定情報バックアップの対象となる隣接装置を識別する情報が格納される。又、本動作例では、remote ChassisＩＤと同様に隣接装置の代表ＭＡＣアドレスが記録される。「エリア」には隣接装置が所属するエリアの情報が格納される。
【００３７】
尚、自装置と設定情報のバックアップ先装置は、同じエリア１００又は２００に所属していることが望ましい。これは、設定情報の差分を保存するにあたり、設定差分が小さくなるようにするためである。又、図４にあって、「バックアップ数」は、この隣接装置がいくつの設定情報をバックアップしているかを示す。
【００３８】
また、各通信装置１１〜１５，２１〜２５は、バックアップ先の装置を決定するに際しては、バックアップが１つの装置に偏って保存されないよう、エリアが同じ隣接装置の内のバックアップ数が少ない装置をバックアップ先として選択するバックアップ先選択機能を備えている。このバックアップ先選択機能は、各通信装置１１〜１５，２１〜２５の設定情報管理部３６，４６が備えている。
【００３９】
更に、図４において、「最終更新日時」は、隣接装置で「Backup対象」の欄が「true」（図５参照）の設定項目が最後に更新された日時を示す。
この日時によって、自装置でバックアップしている隣接装置の設定が最新状態であるかの確認ができる。
【００４０】
尚、自装置と隣接装置の時刻を比較するため、バックアップ先の装置と自装置の時刻は同期している必要がある。換言すると、ＮＰＴなどの手段を用いて時刻同期することが望ましい。
【００４１】
（バックアップ先の装置の選択）
次に、図６のフローチャートを用いて、装置＃Ａ５の通信装置１５が検出した隣接装置から、バックアップ先の装置を選択する方法について説明する。
【００４２】
まず、隣接装置ＩＤを示す変数ｎと、バックアップ先候補の装置が持つバックアップ数の最小値を示す「min ＿backup」と、バックアップ先装置の隣接ＩＤを示す「target」とを初期化する。尚、「min ＿backup」の初期値はバックアップ数の最大値とし、ここでは「１００」としている（図６：ステップＳ１０１／選択条件の確認工程）。
【００４３】
次に、各隣接ＩＤについて、(1) 自装置と隣接装置のエリアが同じか否か、(2) 隣接装置の持つバックアップ数が最小値より小さいか否か？を調べる。
上記(1), (2)ともイエス（YES ）であれば、「target」にその隣接ＩＤを記録して、「min ＿backup」にその隣接ＩＤの装置が持つバックアップ数を記録する。これに対して、(1), (2)のどちらか一方でもノー（NO）であれば、次の隣接ＩＤについて同様の処理を行う（図６：ステップＳ１０２〜Ｓ１０６／各隣接装置の隣接ＩＤの確認工程）。
【００４４】
最終的にすべての隣接ＩＤを調べた後で、「target = 0」であれば、設定情報をバックアップするのに適切な隣接装置は存在しないことになる（図６：ステップＳ１０７（イエス），Ｓ１０８）。
この場合は、隣接情報変化時に再度バックアップ先装置が存在しないかの確認をするなどの対応が必要となる。
【００４５】
「targetが≠０」の場合は、隣接ＩＤが「target」である隣接装置が本装置のバックアップ先装置となる。図３の通信装置(NE#A5) １５の隣接情報ＤＢ３３の例では、エリアが１００でバックアップ数が最小（＝０）である通信装置(NE#A4) １４がバックアップ先装置として選択される（図６：ステップＳ１０７（ノー），Ｓ１０９／バックアップ先装置の選択工程）。
【００４６】
次に、図７のシーケンス図に、装置が始めに設定情報をバックアップ先装置に送信し、バックアップ先装置でのバックアップ処理の手順を示す。
【００４７】
まず、通信装置 (NE#A5)１５の初期設定が完了し、LLDPの隣接情報よりバックアップ先装置が通信装置 (NE#A4)１４に決定される（図７：Ｓ２０１／バックアップ先装置の決定工程）。
この場合、通信装置(NE#A5) １５は、LLDPには、設定情報バックアップ用データを載せて送信する。更に、この通信装置 (NE#A4)１４の「バックアップ先IPアドレス」情報には、バックアップ先として選定した通信装置(NE#A4) １４のManagement Address(192.168.1.4) を隣接ＤＢから取得して設定する（図７：Ｓ２０２／バックアップ先アドレス送信工程）。
【００４８】
次に、通信装置(NE#A5) １５からのLLDPメッセージを受信した通信装置(NE#A4) １４は、LLDPメッセージのバックアップ先のIPアドレス(192.168.1.4) より、通信装置(NE#A5)
１５が自装置(NE#A4) １４をバックアップ先に選択したことを知る（図７：Ｓ２０３／バックアップ先情報受信工程）。
【００４９】
通信装置(NE#A4) １４は、その時点では通信装置(NE#A5) １５の設定情報バックアップを保持していないため、当該通信装置(NE#A5) １５から設定ファイルを取得する（図７：Ｓ２０４，Ｓ２０５／バックアップ用設定ファイル取得工程）。
【００５０】
尚、設定ファイルの取得は任意の方法で実施できるが、ここでは、FTP （file transfer protocol／二点間ファイル転送用プロトコル）によって設定ファイルを転送している。その後、通信装置(NE#A4) １４は、が通信装置(NE#A5) １５の設定ファイルを取得した後、取得した通信装置(NE#A5) １５の設定ファイルと自装置(NE#A4) １４の設定ファイルとを比較して差分を抽出し保存する（図７：Ｓ２０６／差分抽出保存工程）。
【００５１】
また、通信装置(NE#A4) １４は、通信装置(NE#A5) １５の設定をバックアップしたことで、自装置のBackup設定項目のバックアップ数を、インクリメント（＋１）する。この情報は、通信装置(NE#A4) １４が送信するLLDPメッセージにも反映される（図７：Ｓ２０７）。
【００５２】
＜隣接装置における設定差分保存処理＞
次に、図８のフローチャートを用いて隣接装置の設定差分の保存処理（図７の「自装置(NE#A5) １５と隣接装置(NE#A4) １４の差分保存」に相当する) を説明する。
【００５３】
まず、設定項目のうち、隣接「Backup」が「true」になっている項目をバックアップ対象とする（図８：ステップＳ３０１〜３０３（イエス）／バックアップ対象特定工程）。この場合、隣接「Backup」が「false 」の設定は、装置固有設定であるため、装置毎に設定値が異なる可能性が高い。
【００５４】
これらの情報もバックアップを取ったほうが便利だが、本実施形態ではバックアップ対象データ容量の削減を目的に設定値に差分があることが明確な設定項目については、隣接「Backup」を「 false」にしてバックアップ対象外としている（図８：ステップＳ３０３（ノー），Ｓ３０４／バックアップ対象外特定工程）。
【００５５】
次に、設定項目について自装置と他装置の設定値を比較する。
設定値が同じであれば、バックアップ情報として同値ビットに数値１を設定し、隣接装置の設定値はデータとして保存しないとし、次に移行する（図８：ステップＳ３０５／イエス，ステップＳ３０６）。これは、同値ビットが１であれば、自装置の設定値を参照することで隣接装置の設置値が判るためである。
【００５６】
設定値が異なれば、同値ビットに０（同地でない）を設定し、隣接装置の設定値を保存する。このとき、自装置上に隣接装置の設定値を保存するためのデータ領域を確保する（バックアップ用データ領域設定工程）。例えば、ＩPv4 アドレスの設定値ならば、４byteのデータ領域が必要である（図８：ステップＳ３０５／ノー，Ｓ３０７〜Ｓ３０９）。
【００５７】
このように、自装置と隣接装置の設定値が同じ場合は、同値ビットのために１bit のデータ領域を用意すれば、隣接装置の設定情報をバックアップすることができ、装置のバックアップ用データ領域を削減することができる。
【００５８】
図８のフローで設定差分保存処理を実施した後の通信装置(NE#A4) １４の設定ＤＢを図９に示す。
この図９において、「隣接装置＃１設定値」欄が「←」になっている部分は同値ビットが１であり隣接装置の設定を保存していないため、同値ビット以外にデータ領域は不要である。「隣接Backup」欄が「false 」になっている設定項目については、隣接装置の設定情報はバックアップしていない。
【００５９】
尚、隣接装置の設定情報をバックアップした場合には、設定ＤＢに「Backup用設定項目」にバックアップ対象の装置から受信したLLDPメッセージの「設定情報バックアップ用データ」の情報のうち「識別ＩＤ」と「最終更新日時」を設定として保存しておく。これは後述するバックアップからの設定情報復元に利用するためである。
【００６０】
＜隣接装置(NE#A4) 側のバックアップデータの更新処理＞
図１０のシーケンス図で、通信装置(NE#A5) １５の設定情報が変更された場合における通信装置(NE#A4）１４でのバックアップデータの更新処理を説明する。
【００６１】
まず、通信装置(NE#A5）１５で「隣接Backup」が「true」の設定項目（ここではRADIUSサーバアドレス) の設定変更を実施する（図１０：Ｓ４０１〜Ｓ４０３／項目の設定変更工程）。
次に、通信装置(NE#A5）１５は、自装置の設定変更処理および設定最終更新日時の情報を更新する（図１０：Ｓ４０４／更新日時情報の更新）。
【００６２】
ここで、通信装置(NE#A5）１５は、設定変更をバックアップ先である通信装置(NE#A4）１４に伝えるために当該通信装置(NE#A4) １４の「Management Address(192.168.1.4) 」宛に「SNMP Trap 」で変更された設定項目の情報を送信する（図１０：Ｓ４０５／変更項目の送信工程）。
【００６３】
通信装置(NE#A5）１５からの「SNMP Trap 」を受信した通信装置(NE#A4）１４では、設定差分のチェック・保存処理を実施する（図１０：Ｓ４０６／設定差分チェック・保存工程）。
尚、設定変更を通知する「SNMP Trap 」はＩＰパケットであるため、ネットワーク上で廃棄されて隣接装置に届かない可能性がある。この場合でも、設定変更された通信装置（NE#A5 ）１５は、LLDPメッセージに更新された設定の最終更新日時を載せている（図１０：Ｓ４０７）。
【００６４】
このため、通信装置(NE#A4）１４側では、自装置にある通信装置(NE#A5）１５のバックアップ情報が最新ではないことを知らしめられる。
尚、この場合は、通信装置(NE#A4）１４は、通信装置(NE#A5）１５から設定ファイルを再度取得するなどの処理が必要になる。
【００６５】
＜通信装置(NE#A4）側における設定差分のチェック処理＞
図１１のフローチャートを用いて、通信装置(NE#A4）１４における設定差分のチェック処理について説明する。
この設定差分のチェック処理は、図１０の「隣接装置の設定変更に対する差分チェック・保存処理」に相当する。
【００６６】
まず、通信装置(NE#A4）１４は、隣接装置から「SNMP Trap 」で受信した設定項目について、この設定項目の「隣接Backup」の設定を確認し、「true」であれば、受信した隣接装置の設定値と自装置の設定値を比較する（図１１：ステップＳ５０１，５０２／自他設定値の比較工程）。
【００６７】
設定値が同じであれば、バックアップ情報として同値ビットに１を設定し、これまで隣接装置の設定をバックアップしていたデータ領域を解放する（図１１：ステップＳ５０２／イエス，ステップＳ５０３〜Ｓ５０４／データ領域解放工程）。
設定値が異なれば、同値ビットに０を設定し、隣接装置の設定値を保存する。このとき自装置上にこの設定値を保存するためのデータ領域を確保する。例えば、iPv4アドレスの設定値ならば４byteのデータ領域が必要となる（図１１：ステップＳ５０２／ノー，ステップＳ５０５〜Ｓ５０５／データ領域設定・データ保存工程）。
【００６８】
この図１０に手順で成されたシーケンス実施後の通信装置(NE#A4）１４の設定情報ＤＢを、図１２に示す。ここでは、設定項目「RADIUSサーバ」の隣接装置＃１に対する同値ビットが０（＝同値ではない) に変更され、隣接装置＃１の設定値としてデータ領域を確保し「192.168.2,253 」の値が保存されている。また、Backup用設定項目についても隣接装置＃１の最終更新日時が更新される。
【００６９】
＜通信装置(NE#4)におけるバックアップデータの更新処理＞
図１３のシーケンス図を参照して、通信装置(NE#4)１４の設定情報が変更された場合に成される当該通信装置(NE#4)１４における通信装置(NE#5)１５のバックアップデータの更新処理について、説明する。
【００７０】
まず、通信装置(NE#4)１４では、所定の手順に従って、「隣接Backup」が「true」の設定項目（ここではRADIUSサーバアドレス) について、その設定変更を実施する（図１３：ステップＳ６０１〜ステップＳ６０３）。
【００７１】
また、この通信装置(NE#4)１４では、自装置の設定変更処理、及び設定の最終更新日時の更新を実施した後で、設定差分のチェック・保存処理を実施する（図１３：ステップＳ６０４）。
ここで、前述した図１１のフローチャートが通信装置(NE#4)１４における設定差分のチェック処理（図１３の「自装置の設定変更に対する設定差分のチェック・保存処理」に相当) を示す。この図１１のフローの処理は、上述した隣接装置からの「設定変更に対する設定差分のチェック・保存処理」と全く同じである。
【００７２】
図１３のシーケンス実施後の通信装置(NE#4)１４の設定情報ＤＢを図１４に示す。
この図１４に示すように、設定項目「RADIUSサーバ」の自装置設定変更に伴い、隣接装置＃１に対する同値ビットが、１（＝同値) に変更され、隣接装置＃１の設定値として確保していたデータ領域を削除する。
【００７３】
＜通信装置(NE#A5) の工場初期化設定と設定情報の復元＞
図１５に、通信装置(NE#A5) １５を工場初期化設定した場合の動作を示す。
尚、工場出荷設定ではなく故障した装置の交換などでも、同じ図１５のシーケンスで動作する。工場出荷設定を実施した通信装置(NE#A5) １５では、LLDPメッセージの送信を開始する。このとき、設定情報バックアップ用データについては、識別ＩＤに自装置の代表ＭＡＣアドレスを入れるが、その他の属性は値なしのLLDPメッセージを送信する（図１５：ステップＳ７０１〜Ｓ７０２）。
【００７４】
このLLDPメッセージを受信した通信装置(NE#4)１４は、設定情報バックアップ用データの識別ＩＤと自装置(NE#4)１４の設定情報ＤＢの「Backup」用設定項目から、自装置でバックアップしている装置(NE#5)１５で設定情報が失われたことを検出する（図１５：ステップＳ７０３）。
【００７５】
続いて、通信装置(NE#4)１４は、設定情報ＤＢの「Backup」対象が「true」に設定された設定項目について、自装置設定値と同値ビット、隣接装置＃１の設定値から、通信装置(NE#A5) １５の設定ファイルを生成する。
ここで、通信装置(NE#4)１４は、設定情報ＤＢの「Backup」用設定項目を参照し、バックアップ対象装置の識別ＩＤに該当する情報（エリア、バックアップ先、最終更新日時）を通信装置(NE#5)１５の設定ファイルに追加する（図１５：ステップＳ７０４）。
【００７６】
通信装置(NE#4)１４は、生成した通信装置(NE#5)１５の設定ファイルをＦＴＰで送信する。自装置用の設定ファイルを受信した通信装置(NE#5)１５は、設定ファイルの内容を自装置に適用する（図１５：ステップＳ７０５〜Ｓ７０６）。
【００７７】
そして、通信装置(NE#5)１５は、設定の適用後は、LLDPメッセージの設定情報バックアップ用データに復元した自装置のBackup用設定項目の情報を載せて、通信装置(NE#4)１４へ送信する。本シーケンスにより、工場初期化設定を実施した通信装置(NE#5)１５に対して、追加のオペレーションを実施せずに、通信装置(NE#4)１４にバックアップされていた設定情報を復元することができる（図１５：ステップＳ７０７）。
【００７８】
通信装置(NE#5)１５はバックアップからの設定情報復元により、前述したＮＭＳからのアクセスが可能となる。このため、Backup対象が「false 」の設定項目についてはＮＭＳから、遠隔で再設定を実施することが可能である。
【００７９】
図１５のシーケンス後、バックアップから復元された通信装置(NE#5)１５の設定情報ＤＢについて、その内容を図１６に示す。これによると、通信装置(NE#4)１４にバックアップされていた通信装置(NE#5)１５の設定情報が復元されていることがわかる（図１５：ステップＳ７０８）。
【００８０】
ここで、上述した各構成の動作および各工程における実行内容については、これをプログラム化し、前記各通信装置が備えているコンピュータに実現させるように構成してもよい。このプログラム化されたプログラムは、非一時的な記録媒体、例えばＤＶＤ，ＣＤ，フラッシュメモリ、等に記憶され、上記コンピュータに読み出されて実行される。
【００８１】
本実施形態にかかるネットワーク通信システム、通信装置は、上述したように、構成され機能するので、これによると、以下の示す効果を奏する。データバックアップ方法、及びそのプログラムについても同様である。
【００８２】
以上のように、上記実施形態によると、ネットワーク上の装置の設定情報を隣接装置に送信し、隣接装置で設定情報をバックアップすることが可能である。このとき、隣接装置には自装置と該当装置との設定情報の差分のみを保存しバックアップとする。設定情報の中にはネットワーク上のある特定のエリアでは同一の値となっているものも多いため、差分のみを保存することで設定情報バックアップのデータ量を削減できる。
【００８３】
更に、これらの設定情報のデータは装置の設定が変更されたときに該当装置の隣接装置にのみ送付すればよい。これにより、ＮＳＭなどで設定情報のバックアップを一括管理する場合に比べて、ネットワーク上で送信されるデータの量を大幅に削減することが可能となる。
【００８４】
また隣接装置に設定情報のバックアップを保存しておくことで、装置の工場初期化設定や故障による装置交換などで設定情報が失われた場合でも、該当装置の設置・ケーブル敷設が完了していれば隣接装置から自動的に設定情報を取得し該当装置の設定情報として復元することが可能になる。このため、オペレータの作業削減や誤設定を防止することができる。
【００８５】
即ち、本実施形態にあっては、以下に示す効果を奏する。
(1)．設定情報の差分のみをバックアップすることで、装置の設定情報バックアップに必要なデータ領域を削減することができる。
(2)．設定情報を隣接装置にバックアップするため、従来のＮＭＳにバックアップする方式よりもネットワークへの負荷を軽減できる。
(3)．工場出荷設定等で装置の設定情報を失う状況になっても、オペレータの介在なく自動的に隣接装置にバックアップした設定情報を取得して設定の復元が可能である。
【００８６】
尚、上記した実施形態については、その新規な技術な内容の要点をまとめると以下のようになる。尚、かかる技術な内容の要点については、本発明は必ずしもこれに限定されるものではない。
【００８７】
〔付記１〕
リンクを介して連結された複数の通信装置を有するネットワーク回線とこのネットワーク回線の前記各通信装置の動作を管理するネットワーク管理装置とを備えたネットワーク通信システムであって、
前記各通信装置は、
前記ネットワーク管理機器からのアクセスに対応可能な設定情報を格納した設定情報用データベースと、隣接する通信装置からバックアップ用データが送られてきた場合に予め保持しているバックアップ用データとの差分を検出し特定する設定情報差分処理部と、この特定された差分データを前記設定情報用データベースに格納処理する設定情報管理部とを備えていることを特徴とするネットワーク通信システム。
【００８８】
〔付記２〕（通信装置の構成付加）
付記１に記載のネットワーク通信システムにおいて、
前記各通信装置は、
前記リンクを介して隣接する他の通信装置にかかる隣接情報を格納した隣接情報データベースと、この隣接情報データベースに対する隣接情報の読出及び格納を管理する隣接情報管理部と、前記ネットワーク管理装置および隣接する他の通信装置との間の相互通信を実行する信号送受信部とを備えていることを特徴としたネットワーク通信システム。
【００８９】
〔付記３〕（信号送受信部）
付記２に記載のネットワーク通信システムにおいて、
前記信号送受信部は、隣接する通信装置の識別子やＩＰアドレスを含む隣接装置の情報を送受信する隣接情報送受信部と、隣接する通信装置との間で設定情報のバックアップ用データを送信し又は受信する機能を備えた設定情報送受信部とを含む構成であることを特徴としたネットワーク通信システム。
【００９０】
〔付記４〕（バックアップ先選択機能）
付記１に記載のネットワーク通信システムにおいて、
前記各通信装置は、自装置の設定情報にかかるバックアップデータを収納し保持可能な隣接装置として、バックアップ数の少ない装置を選択するバックアップ先選択機能を備えていることを特徴としたネットワーク通信システム。
【００９１】
〔付記５〕（バックアップ先の特定）
付記４に記載のネットワーク通信システムにおいて、
前記各通信装置のバックアップ先選択機能は、選択した隣接装置が備えているバックアップ数が予め設定した最小値よりも小さいか否かを判定すると共に当該バックアップ数が予め設定した最小値より小さい場合に当該バックアップ数最小の隣接装置を差分バックアップ先として特定する機能であることを特徴としたネットワーク通信システム。
【００９２】
〔付記６〕（バックアップ先選定機能／同一エリア内優先）
付記４又は５に記載のネットワーク通信システムにおいて、
前記バックアップ先選択機能は、前記バックアップ先隣接装置として同一エリア内の隣接装置を優先的に選択する機能であることを特徴としたネットワーク通信システム。
【００９３】
〔付記７〕（バックアップデータの格納）
付記１乃至６の何れか一つに記載のネットワーク通信システムにおいて、
前記各通信装置は、隣接装置の設定情報をバックアップした場合には当該隣接装置にかかる識別ＩＤと最終更新日時とを当該バックアップデータに対応させて前記設定情報データベースに格納する機能を備えていることを特徴としたネットワーク通信システム。
【００９４】
〔付記８〕（復元データ返信）
付記１乃至６の何れか一つに記載のネットワーク通信システムにおいて、
前記各通信装置は、
隣接装置から識別ＩＤと共に値なしの属性データが送信されて来た場合には当該隣接装置の設定情報が失われたことを感知する他機設定情報消失感知機能と、
この消失にかかる隣接装置の差分データと自装置の設定情報とを当該隣接装置に送信する復元用データとして送信する復元用データ送信処理機能とを備えていることを特徴としたネットワーク通信システム。
【００９５】
〔付記９〕（通信装置）
リンクを介して連結され他の複数の通信装置と共にネットワーク回線を構成し且つ当該ネットワーク回線を介して予め装備されたネットワーク管理装置に管理されて動作する通信装置であって、
前記ネットワーク管理機器からのアクセスに対応可能な設定情報を格納した設定情報用データベースと、隣接する通信装置からバックアップ用データが送られてきた場合に予め保持しているバックアップ用データとの差分を検出し特定する設定情報差分処理部と、この特定された差分データを前記設定情報用データベースに格納処理する設定情報管理部とを備えていることを特徴とする通信装置。
【００９６】
〔付記１０〕（通信装置の構成付加）
付記９に記載の通信装置において、
前記各通信装置は、
更に、前記ネットワーク管理装置および隣接する他の通信装置との間の相互通信を実行する信号送受信部と、前記リンクを介して隣接する他の通信装置にかかる隣接情報を予め格納した隣接情報データベースと、この隣接情報データベースに対する隣接情報の読出及び格納を管理する隣接情報管理部とを備えていることを特徴とした通信装置。
【００９７】
〔付記１１〕（バックアップ先選択機能）
付記１０に記載の通信装置において、
前記隣接情報管理部は、自装置の設定情報にかかるバックアップデータを収納し保持可能な隣接装置として、バックアップ数の少ない装置を選択するバックアップ先選択機能を備えていることを特徴とした通信装置。
【００９８】
〔付記１２〕（方法の発明）
リンクを介して連結された複数の通信装置を有するネットワーク回線と、このネットワーク回線の前記各通信装置の動作を管理するネットワーク管理装置とを備えたネットワーク通信システムにあって、
前記各通信装置の内の一の通信装置は自装置の設定情報のバックアップ実行先の選定に際し、自装置の隣接装置データベースから隣接する通信装置を抽出し（第１の工程）、
この抽出した各隣接装置のＩＤ（識別子）について自装置とエリアが同一か否かを判定すると共に同一エリアの隣接する通信装置を優先して選択し（第２の工程）、
この選択した隣接装置が備えているバックアップ数が予め設定した最小値よりも小さいか否かを判定すると共に当該バックアップ数が予め設定した最小値より小さい場合に当該バックアップ数最小の隣接装置を差分バックアップ先として特定すること（第３の工程）を特徴としたネットワーク通信システム用データバックアップ方法。
【００９９】
〔付記１３〕（方法の発明）
リンクを介して連結された複数の通信装置を有するネットワーク回線と、このネットワーク回線の前記各通信装置の動作を管理するネットワーク管理装置とを備えたネットワーク通信システムにあって、
隣接する他の通信装置から当該通信装置が保持する設定情報のバックアップデータが送られて来た場合に、これを受信し一時的に保持し（第１の工程）、
この送り込まれたバックアップデータを分析し自装置が保持する設定情報との差分を特定し（第２の工程）、
このバックアップデータの差分を設置差分として当該バックアップデータにかかる他装置の識別ＩＤと共に自装置が備えている設定情報データベースに格納し保持すること（第３の工程）を特徴としたネットワーク通信システム用データバックアップ方法。
【０１００】
〔付記１４〕（プログラム発明）
リンクを介して連結された複数の通信装置を有するネットワーク回線と、このネットワーク回線の前記各通信装置の動作を管理するネットワーク管理装置とを備えたネットワーク通信システムにあって、
前記各通信装置の内の一の通信装置は自装置の設定情報のバックアップ実行先の選定に際し、自装置の隣接装置データベースから隣接する通信装置を抽出する隣接装置抽出処理機能、
この抽出した各隣接装置のＩＤ（識別子）について自装置とエリアが同一か否かを判定すると共に同一エリアの隣接する通信装置を優先して選択するバックアップ先選択処理機能、
およびこの選択した隣接装置が備えているバックアップ数が予め設定した最小値よりも小さいか否かを判定すると共に当該バックアップ数が予め設定した最小値より小さい場合に当該バックアップ数最小の隣接装置を差分バックアップ先として特定するバックアップ先特定処理機能を備え、
これらの各処理機能を前記一の通信装置が備えているコンピュータに実現させることを特徴としたデータバックアップ処理プログラム。
【０１０１】
〔付記１５〕（プログラム発明）
リンクを介して連結された複数の通信装置を有するネットワーク回線と、このネットワーク回線の前記各通信装置の動作を管理するネットワーク管理装置とを備えたネットワーク通信システムにあって、
前記各通信装置の内の一の通信装置は隣接する他装置からの設定情報のバックアップに際し、隣接する他の通信装置から当該通信装置が保持する設定情報のバックアップデータが送られて来た場合に、これを受信し一時的に保持する受信データ保持機能、
この送り込まれたバックアップデータを分析し自装置が保持する設定情報との差分を特定するデータ差分特定機能、
このバックアップデータの差分を設置差分として当該バックアップデータにかかる他装置の識別ＩＤと共に自装置が備えている設定情報データベースに格納し保持する差分データ格納処理機能を備え、
これらの各処理機能を前記一の通信装置が備えているコンピュータに実現させることを特徴としたデータバックアップ処理プログラム。
【産業上の利用可能性】
【０１０２】
多数の通信装置で構成される通信ネットワーク、多数のコンピュータから構成されるコンピュータネットワークに有効に利用される。
【符号の説明】
【０１０３】
１１乃至１５，２１乃至２５  通信装置
３１，４１  信号送受信部
３１Ａ，４１Ａ  隣接情報送受信部
３１Ｂ，４１Ｂ  設定情報送受信部
３２，４２  隣接情報管理部
３２Ｂ，４２Ｂ  他装置設定情報消失検知機能
３３，４３  隣接情報データベース
３６，４６  設定情報管理部
３７，４７  設定情報データベース
３６Ａ，４６Ａ  バックアップ先選択機能
３６Ｃ，４６Ｃ  復元用データ送信制御機能
１００，２００  ネットワーク回線
１２０，２２０  ネットワーク管理装置
【図１】
2014175841.tif 000003
【図２】
2014175841.tif 000004
【図３】
2014175841.tif 000005
【図４】
2014175841.tif 000006
【図５】
2014175841.tif 000007
【図６】
2014175841.tif 000008
【図７】
2014175841.tif 000009
【図８】
2014175841.tif 000010
【図９】
2014175841.tif 000011
【図１０】
2014175841.tif 000012
【図１１】
2014175841.tif 000013
【図１２】
2014175841.tif 000014
【図１３】
2014175841.tif 000015
【図１４】
2014175841.tif 000016
【図１５】
2014175841.tif 000017
【図１６】
2014175841.tif 000018